(57)【要約】【課題】Ｍｏｂｉｌｅ　ＩＰ技術が有している上述の問題点を克服しつつ、移動端末のハンドオーバによる通信データの遅延及び欠落を軽減することができるハンドオーバプログラムを提供する。【解決手段】ホームエージェント１０１が、移動端末１０２の訪問先ネットワーク１０８の近隣に存在する複数のフォーリンエージェント１０４及び１０６夫々に対して移動端末１０２の認証情報を予め通知すると共に、移動端末１０２宛のパケットを転送しておく。そして、移動端末１０２のハンドオーバ時にハンドオーバ先ネットワークのフォーリンエージェント１０４が移動端末１０２の認証を行った直後、移動端末１０２宛のパケットの転送を開始する。【選択図】　　　図１
2004135178.tif 000002
【特許請求の範囲】
【請求項１】
自己のネットワークに所属する移動端末の通信を管理するホームエージェントに用いられるハンドオーバプログラムであって、前記移動端末の訪問先ネットワークの近隣に存在するフォーリンエージェントのアドレスリストを作成するアドレスリスト作成手順と、前記アドレスリストに登録された全てのフォーリンエージェントに前記移動端末の認証情報を通知する認証情報通知手順と、前記移動端末宛てのパケットを受信するとそのパケットを前記アドレスリストに登録された全てのフォーリンエージェントに転送するパケット転送手順と、を具備することを特徴とするハンドオーバプログラム。
【請求項２】
自己のネットワークに所属する移動端末の通信を管理するホームエージェントに用いられるハンドオーバプログラムであって、ネットワーク接続された全てのフォーリンエージェント夫々に隣接する全てのフォーリンエージェントのアドレス情報を保持するアドレス情報保持手順と、通信を管理する移動端末のハンドオーバ先ネットワークのフォーリンエージェントに隣接する全てのフォーリンエージェントのアドレスリストを作成するアドレスリスト作成手順と、前記アドレスリストに登録された全てのフォーリンエージェントに前記移動端末の認証情報を通知する認証情報通知手順と、前記移動端末宛てのパケットを受信するとそのパケットを前記アドレスリストに登録された全てのフォーリンエージェントに転送するパケット転送手順と、を具備することを特徴とするハンドオーバプログラム。
【請求項３】
自己のネットワークに所属する移動端末の通信を管理するホームエージェントに用いられるハンドオーバプログラムであって、ネットワーク接続された全てのフォーリンエージェント夫々の物理的位置情報を保持し、前記移動端末の過去の移動履歴から移動履歴ベクトルを作成する移動履歴ベクトル作成手順と、前記移動端末の訪問先ネットワークの近隣に存在するフォーリンエージェントの位置関係を表す物理的位置ベクトルを作成する物理的位置ベクトル作成手順と、作成された移動履歴ベクトルと物理的位置ベクトルの関係から前記移動端末が次にハンドオーバするネットワークのフォーリンエージェントの候補を特定するハンドオーバ先フォーリンエージェント候補特定手順と、を具備することを特徴とするハンドオーバプログラム。
【請求項４】
ホームエージェントが通信を管理する移動端末の訪問を受けるフォーリンエージェントに用いられるハンドオーバプログラムであって、前記ホームエージェントから前記移動端末の認証情報の通知を受けるとその認証情報を保持する認証情報保持手順と、前記移動端末から登録要求があると前記認証情報を用いてその移動端末の認証を行いその結果を前記ホームエージェントに通知する認証手順と、認証した前記移動端末のホームエージェントから移動端末宛てのパケットが転送されてくると直ちにそのパケットの転送を行うパケット転送手順と、を具備することを特徴とするハンドオーバプログラム。
【請求項５】
ホームエージェントが通信を管理する移動端末の訪問を受けるフォーリンエージェントに用いられるハンドオーバプログラムであって、隣接する全てのフォーリンエージェントのアドレス情報をアドレスデータベースとして保持するアドレス情報保持手順と、前記ホームエージェントからの前記アドレスデータベース参照を可能にするアドレスデータベース参照手順と、を具備することを特徴とするハンドオーバプログラム。
【請求項６】
ホームエージェントが通信を管理する移動端末の訪問を受けるフォーリンエージェントに用いられるハンドオーバプログラムであって、前記移動端末から定期的に送信される当該移動端末のアドレス情報とその移動端末が所属するホームエージェントのアドレス情報を受信すると、自身のフォーリンエージェントのアドレス情報と前記移動端末のアドレス情報をホームエージェントに通知するアドレス情報通知手順を具備することを特徴とするハンドオーバプログラム。
【請求項７】
ホームエージェントが通信を管理する移動端末に用いられるハンドオーバプログラムであって、フォーリンエージェントから定期的に送信される当該フォーリンエージェントのアドレス情報を受信すると、そのアドレス情報と自身の移動端末のアドレス情報を前記ホームエージェントに通知するアドレス情報通知手順を具備することを特徴とするハンドオーバプログラム。
【請求項８】
請求項１又は請求項２のいずれかに記載のハンドオーバプログラムを記憶し、記憶したハンドオーバプログラムに従ってハンドオーバ制御を行うことを特徴とするネットワーク中継装置。
【請求項９】
請求項４に記載のハンドオーバプログラムを記憶し、記憶したハンドオーバプログラムに従ってハンドオーバ制御を行うことを特徴とするネットワーク中継装置。
【請求項１０】
請求項８に記載のネットワーク中継装置と、請求項９に記載のネットワーク中継装置と、を具備することを特徴とする無線移動体通信システム。
【請求項１１】
請求項３、請求項５又は請求項６のいずれかに記載のハンドオーバプログラムを記憶し、記憶したハンドオーバプログラムに従ってハンドオーバ制御を行うことを特徴とするネットワーク中継装置。
【請求項１２】
請求項１１に記載のネットワーク中継装置を具備することを特徴とする無線移動体通信システム。
【請求項１３】
請求項７に記載のハンドオーバプログラムを記憶し、記憶したハンドオーバプログラムに従ってハンドオーバ制御を行うことを特徴とする移動端末。
【請求項１４】
請求項１３に記載の移動端末を具備することを特徴とする無線移動体通信システム。
【発明の詳細な説明】
【０００１】
【発明の属する技術分野】
本発明は、標準Ｍｏｂｉｌｅ　ＩＰを適用した無線移動体通信システムに用いて好適なハンドオーバプログラムに関する。
【０００２】
【従来の技術】
従来、ＩＰ（Ｉｎｔｅｒｎｅｔ　Ｐｒｏｔｏｃｏｌ）ネットワークにおいて、移動端末が異なるサブネット間を移動した場合にＩＰ通信を継続させる方式として、ＩＥＴＦ（Ｉｎｔｅｒｎｅｔ　Ｅｎｇｉｎｅｅｒｉｎｇ　Ｔａｓｋ　Ｆｏｒｃｅ）からＭｏｂｉｌｅ　ＩＰ（ＲＦＣ２００２）が提案されている。このＭｏｂｉｌｅ　ＩＰ技術は、移動端末がネットワーク上の任意のサブネットに接続している場合でも通信相手となる端末からは移動端末が本来所属しているネットワーク（ホームネットワーク）に接続しているように見える方式である。
【０００３】
なお、移動端末には、携帯電話のような移動端末の他に、ＰＤＡやノート型パソコンのような持ち運ぶことが可能な端末も含まれるが、以下の説明では、説明の便宜上、携帯電話のような移動端末を例にとって説明する。
【０００４】
図２６及び図２７のＭｏｂｉｌｅ　ＩＰにおけるネットワーク構成を用いて、上記標準Ｍｏｂｉｌｅ　ＩＰの動作及びハンドオーバ方法の一例を説明する。
図２６において、移動端末（Ｍｏｂｉｌｅ　Ｎｏｄｅ：ＭＮ）２６０２は、ネットワーク間を移動する移動端末であり、通信相手先のホスト（Ｃｏｒｒｅｓｐｏｎｄ　Ｎｏｄｅ：ＣＮ）２６０３は、移動端末２６０２の通信相手となる端末である。なお、ホスト２６０３は、例えばサーバやＩＰ電話機である。移動端末２６０２が本来所属しているホームネットワーク２６０５ではホームエージェント（ＨＡ：Ｈｏｍｅ　Ａｇｅｎｔ）２６０１が移動端末２６０２の通信を管理し、移動端末（ＭＮ）２６０２が一時的に訪問している訪問先ネットワーク２６０６ではフォーリンエージェント（ＦＡ：ＦｏｒｅｉｇｎＡｇｅｎｔ）２６０４が移動端末２６０２の通信を管理する。インターネット等のＩＰネットワーク２６０８はこれらを繋ぐ中継網となる。
【０００５】
ホームエージェント２６０１は、移動端末２６０２が現在どのネットワークを訪問しているかを示す位置情報とその訪問先ネットワーク２６０６を管理するフォーリンエージェント２６０４の情報（ＦＡ２６０４のＩＰアドレス、Ｃａｒｅ−ｏｆ−Ａｄｄｒｅｓｓ）を保持し、移動端末２６０２宛のＩＰパケットを受信できるように自らのネットワークインタフェースを設定する。ホスト（ＣＮ）２６０３が移動端末２６０２宛に送信したＩＰパケットがホームネットワーク２６０５に到着すると、ホームエージェント２６０１はそのパケットを移動端末２６０２の代わりに受け取り、その後、移動端末２６０２が現在訪問しているネットワーク即ち訪問先ネットワーク２６０６宛に転送する。
【０００６】
このとき、Ｍｏｂｉｌｅ　ＩＰ　ＦＡモードでは、ホームエージェント２６０１はホスト２６０３からのＩＰパケットをフォーリンエージェント２６０４宛のＩＰパケットにカプセル化して転送する。フォーリンエージェント２６０４はこのカプセル化されたパケットを受け取ると、元の移動端末２６０２宛のＩＰパケットを取り出して移動端末２６０２に配送する。
【０００７】
一方、移動端末２６０２からホスト２６０３宛にＩＰパケットを送信する場合は、移動端末２６０２本来のアドレスを用いて直接に送信する。これにより、移動端末２６０２とホスト２６０３は、移動端末２６０２がネットワークを移動していることを意識せずに通信することが可能となる。
【０００８】
なお、フォーリンエージェント２６０４の機能を移動端末２６０２が備える形態のモード即ちＭｏｂｉｌｅ　ＩＰ　ＣｏＡモードと呼ばれるモードもある。このモードでは、移動端末２６０２が訪問先ネットワークで使用できるアドレス（ＣＯＡ：Ｃａｒｅ　ｏｆ　Ａｄｄｒｅｓｓ）を移動の度に取得する。
【０００９】
以下、説明の便宜上、移動体端末２６０２がフォーリンエージェント２６０４からＣＯＡを貰う方式であるＭｏｂｉｌｅ　ＩＰ　ＦＡモードを例にとってハンドオーバの動作を説明する。
図２７において、移動端末２７０２がネットワーク（旧訪問先ネットワーク）２７０６からネットワーク（新訪問先ネットワーク）２７０７へ移動（ハンドオーバ）したとする。新訪問先ネットワーク２７０７のフォーリンエージェント２７０４が定期的に報知しているＡｇｅｎｔ　Ａｄｖｅｒｔｉｓｅｍｅｎｔを移動端末２７０２が受信してＣＯＡを取得する。
【００１０】
移動端末２７０２は、新訪問先ネットワーク２７０７に移動したことをホームエージェント２７０１に通知するために、まずフォーリンエージェント２７０４に登録要求（Ｒｅｇｉｓｔｒａｔｉｏｎ　Ｒｅｑｕｅｓｔ）メッセージを送信する。このメッセージを受けたフォーリンエージェント２７０４は、移動端末２７０２の登録要求メッセージをホームエージェント２７０１に転送する。ホームエージェント２７０１は、登録要求メッセージを受信すると、その登録要求メッセージを認証し、移動端末２７０２の移動先を登録／更新する。そして、フォーリンエージェント２７０４を介して移動端末２７０２に登録応答（Ｒｅｇｉｓｔｒａｔｉｏｎ　Ｒｅｐｌｙ）メッセージを送信する。これにより、ホームエージェント２７０１は、フォーリンエージェント２７０３宛に転送していたＩＰパケットをフォーリンエージェント２７０４宛に転送する。
【００１１】
なお、この他に、ネットワークをある地域（Ｒｅｇｉｏｎ）毎例えばドメイン毎に分けて、各地域に１つ以上のゲートウェイフォーリンエージェント（ＧＦＡ：Ｇａｔｅｗａｙ　Ｆｏｒｅｉｇｎ　Ａｇｅｎｔ）を設置し、ゲートウェイフォーリンエージェントは、他ネットワークへのゲートウェイ機能を持ち同一地域内のフォーリンエージェントを管理し、同一地域内で発生したハンドオーバをホームエージェントに対して隠蔽してゲートウェイフォーリンエージェントがホームエージェントの代わりに認証とパケット転送の経路を変更する（例えば、非特許文献１参照）。
【００１２】
【非特許文献１】
Ｍｏｂｉｌｅ　ＩＰｖ４　Ｒｅｇｉｏｎａｌ　Ｒｅｇｉｓｔｒａｔｉｏｎ（ｄｒａｆｔ−ｉｅｔｆ−ｍｏｂｉｌｅｉｐ−ｒｅｇ−ｔｕｎｎｅｌ−０５）、ＩＥＴＦ（Ｉｎｔｅｒｎｅｔ　Ｅｎｇｉｎｅｅｒｉｎｇ　Ｔａｓｋ　Ｆｏｒｃｅ）
【００１３】
【発明が解決しようとする課題】
しかしながら、従来のハンドオーバ方法においては、次にような問題がある。すなわち、上述したようにＭｏｂｉｌｅ　ＩＰはネットワークを移動する度にホームエージェントに移動を通知し、ホームエージェントが移動端末宛のパケットを移動先に転送することによって、同じＩＰアドレスを使用し続けているように見せる技術である。したがって、移動端末はネットワークを移動する度にホームエージェントとの間で所定の手順を実行する必要があるため、ホームエージェントから論理的距離が遠い場合にはネットワーク遅延や処理遅延の発生により、サブネット間移動（ハンドオーバ）の所要時間が増大する。
【００１４】
さらに、ネットワークを移動した際に必要な手順が完了するまでは、移動端末はＩＰパケットを受信することができず、リアルタイム通信の連続性、例えば制御の連続性や通話の連続性が維持されない場合が生じる。
【００１５】
また、ゲートウェイフォーリンエージェントを用いてリージョナルレジストレーション（Ｒｅｇｉｏｎａｌ　Ｒｅｇｉｓｔｒａｔｉｏｎ）を行う場合でも、移動端末はゲートウェイフォーリンエージェントまで登録要求を送信し、ゲートウェイフォーリンエージェントから登録応答を受信する必要があり、移動端末とゲートウェイフォーリンエージェントとの間でネットワーク遅延や処理遅延が発生する。したがって、ハンドオーバに時間を要し、リアルタイムメディアの欠落が生じる可能性がある。さらにゲートウェイフォーリンエージェント間をまたがるハンドオーバが発生した場合には標準Ｍｏｂｉｌｅ　ＩＰと同様な問題が発生する。
【００１６】
本発明は係る点に鑑みてなされたものであり、Ｍｏｂｉｌｅ　ＩＰ技術が有している上述の問題点を克服しつつ、移動端末のハンドオーバによる通信データの遅延及び欠落を軽減することができるハンドオーバプログラムを提供することを目的とする。
【００１７】
【課題を解決するための手段】
請求項１に係る発明のハンドオーバプログラムは、自己のネットワークに所属する移動端末の通信を管理するホームエージェントに用いられるハンドオーバプログラムであって、前記移動端末の訪問先ネットワークの近隣に存在するフォーリンエージェントのアドレスリストを作成するアドレスリスト作成手順と、前記アドレスリストに登録された全てのフォーリンエージェントに前記移動端末の認証情報を通知する認証情報通知手順と、前記移動端末宛てのパケットを受信するとそのパケットを前記アドレスリストに登録された全てのフォーリンエージェントに転送するパケット転送手順と、を具備する。
【００１８】
このプログラムによれば、ホームエージェントが予め移動端末の訪問先（ハンドオーバ先）ネットワークの近隣に存在する少なくとも１つのフォーリンエージェントに移動端末の認証情報を通知しておき、更に当該移動端末宛てのパケットがあればそのパケットを転送しておくので、移動端末が新たなハンドオーバ先のネットワークに移動してもホームエージェントまで登録要求を送信する必要が無くなり、認証に要する時間の短縮化が図れる。また、ハンドオーバ先のフォーリンエージェントが移動端末宛てのパケットの転送を直ちに開始できるため、パケット欠落や遅延を軽減することが可能となる。
【００１９】
請求項２に係る発明のハンドオーバプログラムは、自己のネットワークに所属する移動端末の通信を管理するホームエージェントに用いられるハンドオーバプログラムであって、ネットワーク接続された全てのフォーリンエージェント夫々に隣接する全てのフォーリンエージェントのアドレス情報を保持するアドレス情報保持手順と、通信を管理する移動端末のハンドオーバ先ネットワークのフォーリンエージェントに隣接する全てのフォーリンエージェントのアドレスリストを作成するアドレスリスト作成手順と、前記アドレスリストに登録された全てのフォーリンエージェントに前記移動端末の認証情報を通知する認証情報通知手順と、前記移動端末宛てのパケットを受信するとそのパケットを前記アドレスリストに登録された全てのフォーリンエージェントに転送するパケット転送手順と、を具備する。
【００２０】
このプログラムによれば、ホームエージェントが全てのフォーリンエージェント夫々に隣接する全てのフォーリンエージェントのアドレス情報を保持して、移動端末のハンドオーバ先ネットワークのフォーリンエージェントに隣接する全てのフォーリンエージェントのアドレスリストを作成する。これにより、ホームエージェントが認証情報の通知及びパケット転送を行うフォーリンエージェントを容易に特定することができるので、移動端末が新たなハンドオーバ先のネットワークに移動してもホームエージェントまで登録要求を送信する必要が無くなり、認証に要する時間の短縮化が図れる。また、ハンドオーバ先のフォーリンエージェントが移動端末宛てのパケットの転送を直ちに開始できるため、パケット欠落や遅延を軽減することが可能となる。
【００２１】
請求項３に係る発明のハンドオーバプログラムは、自己のネットワークに所属する移動端末の通信を管理するホームエージェントに用いられるハンドオーバプログラムであって、ネットワーク接続された全てのフォーリンエージェント夫々の物理的位置情報を保持し、前記移動端末の過去の移動履歴から移動履歴ベクトルを作成する移動履歴ベクトル作成手順と、前記移動端末の訪問先ネットワークの近隣に存在するフォーリンエージェントの位置関係を表す物理的位置ベクトルを作成する物理的位置ベクトル作成手順と、作成された移動履歴ベクトルと物理的位置ベクトルの関係から前記移動端末が次にハンドオーバするネットワークのフォーリンエージェントの候補を特定するハンドオーバ先フォーリンエージェント候補特定手順と、を具備する。
【００２２】
このプログラムによれば、ホームエージェントにおいて、移動端末が次にハンドオーバするネットワークのフォーリンエージェントを高い精度で特定することができる。そして、特定したフォーリンエージェントに移動端末の認証情報を通知しておき、更に当該移動端末宛てのパケットがあればそのパケットを転送しておくので、移動端末が新たなハンドオーバ先のネットワークに移動してもホームエージェントまで登録要求を送信する必要が無くなり、認証に要する時間の短縮化が図れる。また、ハンドオーバ先のフォーリンエージェントが移動端末宛てのパケットの転送を直ちに開始できるため、パケット欠落や遅延を軽減することが可能となる。
【００２３】
請求項４に係る発明のハンドオーバプログラムは、ホームエージェントが通信を管理する移動端末の訪問を受けるフォーリンエージェントに用いられるハンドオーバプログラムであって、前記ホームエージェントから前記移動端末の認証情報の通知を受けるとその認証情報を保持する認証情報保持手順と、前記移動端末から登録要求があると前記認証情報を用いてその移動端末の認証を行いその結果を前記ホームエージェントに通知する認証手順と、認証した前記移動端末のホームエージェントから移動端末宛てのパケットが転送されてくると直ちにそのパケットの転送を行うパケット転送手順と、を具備する。
【００２４】
このプログラムによれば、フォーリンエージェントが自身のネットワークに移動端末がハンドオーバしてくる前にその移動端末のホームエージェントより認証情報を受けており、その移動端末から登録情報があると認証を行ってホームエージェントに通知し、その後にホームエージェントから移動端末宛てのパケットが転送されてくると直ちにそれを移動端末に転送するので、移動端末が新たなハンドオーバ先のネットワークに移動してもホームエージェントまで登録要求を送信する必要が無くなり、認証に要する時間の短縮化が図れる。また、ハンドオーバ先のフォーリンエージェントが移動端末宛てのパケットの転送を直ちに開始できるため、パケット欠落や遅延を軽減することが可能となる。
【００２５】
請求項５に係る発明のハンドオーバプログラムは、ホームエージェントが通信を管理する移動端末の訪問を受けるフォーリンエージェントに用いられるハンドオーバプログラムであって、隣接する全てのフォーリンエージェントのアドレス情報をアドレスデータベースとして保持するアドレス情報保持手順と、前記ホームエージェントからの前記アドレスデータベース参照を可能にするアドレスデータベース参照手順と、を具備する。
【００２６】
このプログラムによれば、自身のフォーリンエージェントに隣接するフォーリンエージェントのアドレス情報をデータベースとして保持すると共に、このデータベースをホームエージェントが自由に参照できるようにする。これにより、ホームエージェントが認証情報の通知及びパケット転送を行うフォーリンエージェントを容易に特定することができるので、移動端末が新たなハンドオーバ先のネットワークに移動してもホームエージェントまで登録要求を送信する必要が無くなり、認証に要する時間の短縮化が図れる。また、ハンドオーバ先のフォーリンエージェントが移動端末宛てのパケットの転送を直ちに開始できるため、パケット欠落や遅延を軽減することが可能となる。
【００２７】
請求項６に係る発明のハンドオーバプログラムは、ホームエージェントが通信を管理する移動端末の訪問を受けるフォーリンエージェントに用いられるハンドオーバプログラムであって、前記移動端末から定期的に送信される当該移動端末のアドレス情報とその移動端末が所属するホームエージェントのアドレス情報を受信すると、自身のフォーリンエージェントのアドレス情報と前記移動端末のアドレス情報をホームエージェントに通知するアドレス情報通知手順を具備する。
【００２８】
このプログラムによれば、ホームエージェントが、移動端末のハンドオーバ先ネットーワークのフォーリンエージェント候補を移動端末の現在位置と物理的に近いフォーリンエージェントから特定することができるので、移動端末が新たなハンドオーバ先のネットワークに移動してもホームエージェントまで登録要求を送信する必要が無くなり、認証に要する時間の短縮化が図れる。また、ハンドオーバ先のフォーリンエージェントが移動端末宛てのパケットの転送を直ちに開始できるため、パケット欠落や遅延を軽減することが可能となる。
【００２９】
請求項７に係る発明のハンドオーバプログラムは、ホームエージェントが通信を管理する移動端末に用いられるハンドオーバプログラムであって、フォーリンエージェントから定期的に送信される当該フォーリンエージェントのアドレス情報を受信すると、そのアドレス情報と自身の移動端末のアドレス情報を前記ホームエージェントに通知するアドレス情報通知手順を具備する。
【００３０】
このプログラムによれば、ホームエージェントが、移動端末のハンドオーバ先ネットーワークのフォーリンエージェント候補を移動端末の現在位置と物理的に近いフォーリンエージェントから特定することができるので、移動端末が新たなハンドオーバ先のネットワークに移動してもホームエージェントまで登録要求を送信する必要が無くなり、認証に要する時間の短縮化が図れる。また、ハンドオーバ先のフォーリンエージェントが移動端末宛てのパケットの転送を直ちに開始できるため、パケット欠落や遅延を軽減することが可能となる。
【００３１】
請求項８に係る発明のネットワーク中継装置は、請求項１又は請求項２のいずれかに係る発明のハンドオーバプログラムを記憶し、記憶したハンドオーバプログラムに従ってハンドオーバ制御を行う構成を採る。
【００３２】
この構成によれば、移動端末が新たなハンドオーバ先のネットワークに移動してもホームエージェントまで登録要求を送信する必要が無くなり、認証に要する時間の短縮化が図れ、またハンドオーバ先のフォーリンエージェントが移動端末宛てのパケットの転送を直ちに開始できるため、パケット欠落や遅延を軽減することが可能な無線移動体通信システムを実現できる。
【００３３】
請求項９に係る発明のネットワーク中継装置は、請求項４に記載のハンドオーバプログラムを記憶し、記憶したハンドオーバプログラムに従ってハンドオーバ制御を行う構成を採る。
【００３４】
この構成によれば、移動端末が新たなハンドオーバ先のネットワークに移動してもホームエージェントまで登録要求を送信する必要が無くなり、認証に要する時間の短縮化が図れ、またハンドオーバ先のフォーリンエージェントが移動端末宛てのパケットの転送を直ちに開始できるため、パケット欠落や遅延を軽減することが可能な無線移動体通信システムを実現できる。
【００３５】
請求項１０に係る発明の無線移動体通信システムは、請求項８に係る発明のネットワーク中継装置と、請求項９に係る発明のネットワーク中継装置と、を具備する構成を採る。
【００３６】
この構成によれば、移動端末が新たなハンドオーバ先のネットワークに移動してもホームエージェントまで登録要求を送信する必要が無くなり、認証に要する時間の短縮化が図れ、またハンドオーバ先のフォーリンエージェントが移動端末宛てのパケットの転送を直ちに開始できるため、パケット欠落や遅延を軽減することが可能な無線移動体通信システムを実現できる。
【００３７】
請求項１１に係る発明のネットワーク中継装置は、請求項３、請求項５又は請求項６のいずれかに係る発明のハンドオーバプログラムを記憶し、記憶したハンドオーバプログラムに従ってハンドオーバ制御を行う構成を採る。
【００３８】
この構成によれば、移動端末が新たなハンドオーバ先のネットワークに移動してもホームエージェントまで登録要求を送信する必要が無くなり、認証に要する時間の短縮化が図れ、またハンドオーバ先のフォーリンエージェントが移動端末宛てのパケットの転送を直ちに開始できるため、パケット欠落や遅延を軽減することが可能な無線移動体通信システムを実現できる。
【００３９】
請求項１２に係る発明の無線移動体通信システムは、請求項１１に係る発明のネットワーク中継装置を具備する構成を採る。
【００４０】
この構成によれば、移動端末が新たなハンドオーバ先のネットワークに移動してもホームエージェントまで登録要求を送信する必要が無くなり、認証に要する時間の短縮化が図れ、またハンドオーバ先のフォーリンエージェントが移動端末宛てのパケットの転送を直ちに開始できるため、パケット欠落や遅延を軽減することが可能な無線移動体通信システムを実現できる。
【００４１】
請求項１３に係る発明の移動端末は、請求項７に係る発明のハンドオーバプログラムを記憶し、記憶したハンドオーバプログラムに従ってハンドオーバ制御を行う構成を採る。
【００４２】
この構成によれば、移動端末が新たなハンドオーバ先のネットワークに移動してもホームエージェントまで登録要求を送信する必要が無くなり、認証に要する時間の短縮化が図れ、またハンドオーバ先のフォーリンエージェントが移動端末宛てのパケットの転送を直ちに開始できるため、パケット欠落や遅延を軽減することが可能な無線移動体通信システムを実現できる。
【００４３】
請求項１４に係る発明の無線移動体通信システムは、請求項１３に係る発明の移動端末を具備する構成を採る。
【００４４】
この構成によれば、移動端末が新たなハンドオーバ先のネットワークに移動してもホームエージェントまで登録要求を送信する必要が無くなり、認証に要する時間の短縮化が図れ、またハンドオーバ先のフォーリンエージェントが移動端末宛てのパケットの転送を直ちに開始できるため、パケット欠落や遅延を軽減することが可能な無線移動体通信システムを実現できる。
【００４５】
【発明の実施の形態】
本発明の骨子は、移動端末の訪問先ネットワークに隣接するネットワークのフォーリンエージェントに対して、ホームエージェントが移動端末の認証情報を予め通知しておき、また移動端末宛てのパケットがあればそれを転送しておき、移動端末のハンドオーバ時にハンドオーバ先ネットワークのフォーリンエージェントが認証を行い、更に移動端末宛てのパケットがあれば直ちにそれの転送を開始することで、認証に要する時間の短縮化を図り、またパケット欠落や遅延を軽減することである。
【００４６】
以下、本発明の実施の形態について、図面を参照して詳細に説明する。
【００４７】
（実施の形態１）
図１は、本発明の実施の形態１に係る無線移動体通信システムの全体構成図である。
この図において、参照符号１０１はホームエージェント（ＨＡ）、１０２は移動端末（ＭＮ）、１０３は移動端末１０２がハンドオーバ前に訪問していたネットワークを管理するフォーリンエージェント（ＦＡ）、１０４は移動端末１０２が現在訪問しているネットワークを管理するフォーリンエージェント（ＦＡ）、１０５及び１０６はフォーリンエージェント、１０７はホームネットワーク、１０８は移動端末１０２がハンドオーバ前に位置していた旧訪問先ネットワーク、１０９は移動端末１０２が現在位置している新訪問先ネットワーク、１１０及び１１１はフォーリンネットワーク、１１２は各ネットワークを相互に接続するＩＰネットワークである。
【００４８】
図２は、本実施の形態に係る無線移動体通信システムにおけるＭｏｂｉｌｅ　ＩＰ拡張ハンドオーバ手順を示すフロー図である。
現在、移動端末１０２は、フォーリンエージェント１０３が管理するネットワーク１０８を訪問しており、ホームエージェント１０１が移動端末１０２宛てパケットをフォーリンエージェント１０３へ転送し、移動端末１０２がフォーリンエージェント１０３によりでカプセル化されたＩＰパケットを受信して通信を行っている。このとき、ホームエージェント１０１は、移動端末１０２の訪問先ネットワーク１０８に隣接する新訪問先ネットワーク１０９を管理するフォーリンエージェント１０４のアドレスと、フォーリンネットワーク１１１を管理するフォーリンエージェント１０６のアドレスを記載したアドレスリストを作成する（ステップ２０１）。
【００４９】
このアドレスリストは、移動端末１０２の訪問先ネットワーク１０８を管理するフォーリンエージェント１０３に隣接するフォーリンエージェントのアドレスからなる。すなわち、フォーリンエージェント１０４とフォーリンエージェント１０６の各ＩＰアドレスが記載される。
【００５０】
ホームエージェント１０１は、アドレスリストを作成した後、当該リストに記載したフォーリンエージェント１０４とホーリンエージェント１０６夫々に対して移動端末１０２のＭｏｂｉｌｅ　ＩＰ登録処理に必要な認証情報を通知する（ステップ２０２）。この場合、認証情報としては、移動端末１０２のＳＰＩ値、暗号化アルゴリズム、共有鍵がある。また、認証情報の通知にはＭｏｂｉｌｅ　ＩＰメッセージを拡張したフォーマットが用いられる。
【００５１】
図３は、ホームエージェントが移動端末の認証情報をホーリンエージェントに通知するためのメッセージを表すＩＰパケットのフォーマットであり、特にＭｏｂｉｌｅ　ＩＰメッセージにおけるメッセージタイプを「５」として、認証情報通知メッセージであることを新たに定義している。この拡張したＭｏｂｉｌｅ　ＩＰメッセージフォーマットを認証情報通知手段として用いる。
【００５２】
また、ホームエージェント１０１は、移動端末１０２宛てのパケットを取得すると、アドレスリストに記載されたフォーリンエージェント１０４とフォーリンエージェント１０６夫々に対して当該パケットを転送する（ステップ２０３）。なお、パケットの転送は、アドレスリストに記載した各フォーリンエージェントに対してユニキャストで送信することも可能であるし、ネットワーク資源の効率化のためにマルチキャストで送信することも可能である。
【００５３】
そして、移動端末１０２が訪問先ネットワーク１０８から新訪問先ネットワーク１０９にハンドオーバすると（ステップ２０４）、移動端末１０２は新訪問先ネットワーク１０９を管理するフォーリンエージェント１０４に標準ＭｏｂｉｌｅＩＰの登録要求（Ｒｅｇｉｓｔｒａｔｉｏｎ　Ｒｅｑｕｅｓｔ）を送信する（ステップ２０５）。この登録要求を受信したフォーリンエージェント１０４は、ホームエージェント１０１の代わりに移動端末１０２の登録認証を行い、移動端末１０２に登録応答（Ｒｅｇｉｓｔｒａｔｉｏｎ　Ｒｅｐｌｙ）を送信する（ステップ２０６）。
【００５４】
また、フォーリンエージェント１０４は移動端末１０２宛のパケットを既に受信しているので、移動端末１０２宛にパケットの転送を開始する（ステップ２０７）。以降、標準Ｍｏｂｉｌｅ　ＩＰに従う手順でフォーリンエージェント１０４が移動端末１０２の登録要求をそのままホームエージェント１０１に転送する（ステップ２０８）。ホームエージェント１０１は登録要求を受けることで、登録認証を行い（ステップ２０９）、その後、フォーリンエージェント１０４に登録応答を送信する（ステップ２１０）。
【００５５】
このように、本実施の形態に係る無線移動体通信システムによれば、ホームエージェント１０１が、予め移動端末１０２の訪問先ネットワーク１０８の近隣に存在する複数のフォーリンエージェント１０４及び１０６夫々に対して移動端末１０２の認証情報を通知すると共に移動端末１０２宛のパケットを転送しておくことで、移動端末１０２のハンドオーバ時にハンドオーバ先ネットワークのフォーリンエージェント１０４が移動端末１０２の認証を行った直後に移動端末１０２宛のパケットの転送を開始する。
【００５６】
したがって、移動端末１０２はホームエージェント１０１まで登録要求を送信する必要はなくその手順に要する時間の短縮が図れる。また、ハンドオーバ先ネットワーク１０９のフォーリンエージェント１０４が移動端末１０２宛パケットの転送を直ちに開始できるため、パケット欠落や遅延を軽減させることができる。
【００５７】
なお、本発明におけるハンドオーバ方式を適用していないフォーリンエージェントまたは移動端末の認証情報を持たないフォーリンエージェントが管理するネットワークに移動端末がハンドオーバした場合は、標準Ｍｏｂｉｌｅ　ＩＰのハンドオーバ手順により移動端末のハンドオーバが行われる。
【００５８】
（実施の形態２）
図４は、本発明の実施の形態２に係る無線移動体通信システムの全体構成図である。本実施の形態に係る無線移動体通信システムは、ホームエージェントが各フォーリンエージェントに隣接するフォーリンエージェントのアドレス情報をデータベースとして保持するようにしたものである。
【００５９】
この図において、参照符号４０１はホームエージェント、４０２は移動端末、４０３は移動端末４０２が現在訪問しているネットワークを管理するフォーリンエージェント、４０４、４０５及び４０６は夫々フォーリンエージェント、４０７はホームエージェントが保持するアドレスデータベース、４０８はホームネットワーク、４０９は移動端末４０２が現在位置している訪問先ネットワーク、４１０、４１１及び４１２は夫々フォーリンネットワーク、４１３は各ネットワークを相互に接続するＩＰネットワークである。
【００６０】
図５は、本実施の形態に係る無線移動体通信システムにおけるアドレスリスト作成手順を示すフロー図である。
【００６１】
ホームエージェント４０１が各フォーリンエージェントに隣接するフォーリンエージェントのアドレス情報をデータベースとして保持する方法では、ホームエージェント４０１は各フォーリンエージェント４０３、４０４、４０５及び４０６に隣接するフォーリンエージェントのアドレスデータベース４０７を予め保持している（ステップ５０１）。このアドレスデータベース４０７には、各フォーリンエージェントから、ある一定の論理的距離（Ｈｏｐ数など）又はある一定の物理的距離に位置するフォーリンエージェントのアドレスがフォーリンエージェント毎に記載されている。
【００６２】
ここで、図６にアドレスデータベースの一例を示す。このデータベースに示すように、フォーリンエージェント４０３に隣接するフォーリンエージェントがフォーリンエージェント４０４とフォーリンエージェント４０６である。また、フォーリンエージェント４０４に隣接するフォーリンエージェントがフォーリンエージェント４０３である。また、フォーリンエージェント４０５に隣接するフォーリンエージェントがフォーリンエージェント４０６である。また、フォーリンエージェント４０６に隣接するフォーリンエージェントがフォーリンエージェント４０３ととフォーリンエージェント４０５である。このアドレスデータベース４０７は静的に保持されてよいし、ネットワークトポロジの変更に対して動的に更新されてもよい。
【００６３】
移動端末４０２がフォーリンエージェント４０３の管理するネットワーク４０９を訪問している場合、ホームエージェント４０１は、フォーリンエージェント４０３に隣接するフォーリンエージェントをアドレスデータベース４０７から検索する（ステップ５０２）。この場合、フォーリンエージェント４０３に隣接するフォーリンエージェントは、フォーリンエージェント４０４とフォーリンエージェント４０６である。そして、これらのアドレス情報をアドレスリストとする（ステップ５０３）。
【００６４】
このように、本実施の形態に係る無線移動体通信システムによれば、ホームエージェント４０１が各フォーリンエージェント４０３〜４０６夫々に隣接するフォーリンエージェントのアドレス情報をアドレスデータベースとして保持し、移動端末４０２のハンドオーバ先ネットワークのフォーリンエージェントに隣接するフォーリンエージェントのアドレスのリストを作成するので、認証情報の通知及びパケット転送を行うフォーリンエージェントの特定を容易に行うことができる。
【００６５】
（実施の形態３）
図７は、本発明の実施の形態３に係る無線移動体通信システムの全体構成図である。本実施の形態に係る無線移動体通信システムは、各フォーリンエージェントが自身に隣接するフォーリンエージェントのアドレスデータベースをそれぞれ保持するようにしたものである。
【００６６】
この図において、参照符号７０１はホームエージェント、７０２は移動端末、７０３は移動端末７０２が現在訪問しているネットワークを管理するホーリンエージェント、７０４、７０５及び７０６はフォーリンエージェント、７０７はアドレスデータベース、７０８はホームネットワーク、７０９は移動端末７０２が現在位置している訪問先ネットワーク、７１０、７１１及び７１２はフォーリンネットワーク、７１３は各ネットワークを相互に接続するＩＰネットワークである。
【００６７】
図８は、本実施の形態に係る無線移動体通信システムおけるアドレスリストの作成手順を示すフロー図である。
【００６８】
各フォーリンエージェントが自身に隣接するフォーリンエージェントのアドレスデータベースを保持する方式では、各フォーリンエージェントは自身に隣接するフォーリンエージェントのアドレスデータベースを予めそれぞれ保持する（ステップ８０１）。フォーリンエージェント７０３のアドレスデータベース７０７には、フォーリンエージェント７０３からある一定の論理的距離（Ｈｏｐ数など）又はある一定の物理的距離に位置するフォーリンエージェントのアドレスが記載されており、例えば図７ではフォーリンエージェント７０４とフォーリンエージェント７０６夫々のＩＰアドレスが記載されている。なお、このアドレスデータベース７０７は静的に保持されて良いし、あるいはネットワークトポロジの変更に対して動的に更新されても良い。
【００６９】
図９は、移動端末７０２の訪問先のフォーリンエージェント７０３がアドレスデータベース７０７のアドレス情報をホームエージェント７０１に通知するためのメッセージを表すＩＰパケットのフォーマットであり、特にＭｏｂｉｌｅ　ＩＰメッセージにおけるメッセージタイプを「１１」、ＴＴＬ（Ｔｉｍｅ　ｔｏ　Ｌｉｖｅ）を「２」ととして、動的に更新する場合のメッセージとして用いる。この拡張したＭｏｂｉｌｅ　ＩＰメッセージフォーマットを認証情報通知手段として用いる。
【００７０】
各フォーリンエージェントは定期的に自身のアドレス情報をネットワークに報知し、このアドレス情報を受信したフォーリンエージェントが自己のアドレスデータベースを更新する。
【００７１】
移動端末７０２がフォーリンエージェント７０３の管理するネットワーク７０９を訪問している場合には、そのアドレスデータベース７０７のアドレスをホームエージェント７０１に通知する（ステップ８０２）。図１０に示すように、Ｍｏｂｉｌｅ　ＩＰのメッセージを拡張し、メッセージタイプが「７」の場合には、フォーリンエージェント７０３がホームエージェント７０１にアドレスデータベース７０７のアドレスを通知するメッセージであることを定義し、そのアドレスをホームエージェント７０１に通知する。通知を受けたホームエージェント７０１はそのアドレスに基づきアドレスリストを作成する（ステップ８０３）。
【００７２】
このように、本実施の形態に係る無線移動体通信システムによれば、各フォーリンエージェント（例えばフォーリンエージェント７０３）が自身に隣接するフォーリンエージェント（例えばフォーリンエージェント７０４と７０６）のアドレスを保持するアドレスデータベース７０７を保持し、このアドレスデータベース７０７に基づきホームエージェント７０１が認証情報の通知及びパケット転送を行うので、ホームエージェント７０１が認証情報の通知及びパケット転送を行うフォーリンエージェントを容易に特定することができる。
【００７３】
（実施の形態４）
図１１は、本発明の実施の形態４に係る無線移動体通信システムの全体構成図である。本実施の形態に係る無線移動体通信システムは、移動端末が定期的にアドレス情報を報知するようにしたものである。
【００７４】
この図において、参照符号１１０１はホームエージェント、１１０２は移動端末、１１０３は移動端末１１０２が現在訪問しているネットワークを管理するフォーリンエージェント、１１０４、１１０５及び１１０６はフォーリンエージェント、１１０７は無線基地局、１１０８はホームネットワーク、１１０９は移動端末１１０２が現在位置している訪問先ネットワーク、１１１０、１１１１及び１１１２はフォーリンネットワーク、１１１３はこれらのネットワークを相互に接続するＩＰネットワークである。
【００７５】
図１２は、本実施の形態に係る無線移動体通信システムおけるアドレスリストの作成手順を示すフロー図である。
【００７６】
移動端末１１０２が自身のアドレス情報とホームエージェント１１０１のアドレス情報をネットワークに定期的に報知する（ステップ１２０１）。移動端末１１０２が自身のアドレス情報を報知する手段として、図１３に示すように、メッセージタイプが「９」、コードが「１」のＭｏｂｉｌｅ　ＩＰを拡張したメッセージを用いる。移動端末１１０２が送信したアドレス情報をフォーリンエージェント１１０４が受信すると（ステップ１２０２）、自身のアドレス情報と移動端末１１０２のアドレス情報をホームエージェント１１０１に通知する（ステップ１２０３）。
【００７７】
この場合、フォーリンエージェント１１０４がアドレス情報をホームエージェント１１０１に通知する手段として、図１４に示すように、メッセージタイプが「９」、コードが「２」のＭｏｂｉｌｅ　ＩＰメッセージを拡張したメッセージを用いる。この通知を受けたホームエージェント１１０１はそのアドレスに基づきアドレスリストを作成する（ステップ１７０４）。
【００７８】
このように、本実施の形態に係る無線移動体通信システムによれば、移動端末１１０１が自身のアドレス情報とホームエージェント１１０１のアドレス情報をネットワークに定期的に送出し、そのアドレス情報を受信することができたフォーリンエージェント（例えばフォーリンエージェント１１０４）が自身のアドレス情報と移動端末１１０２のアドレス情報をホームエージェント１１０１に通知するので、ホームエージェント１１０１は、移動端末１１０２が次にハンドオーバするネットワークのフォーリンエージェントの候補を容易に特定することができる。
【００７９】
（実施の形態５）
図１５、本発明の実施の形態５係る無線移動体通信システムの全体構成図である。本実施の形態に係る無線移動体通信システムは、フォーリンエージェントが定期的にアドレス情報を報知するようにしたものである。
この図において、参照符号１５０１はホームエージェント、１５０２は移動端末、１５０３は移動端末１５０２が現在訪問しているネットワークを管理するフォーリンエージェント、１５０４、１５０５及び１５０６はフォーリンエージェント、１５０７は無線基地局、１５０８はホームネットワーク、１５０９は移動端末１５０２が現在位置している訪問先ネットワーク、１５１０、１５１１及び１５１２はフォーリンネットワーク、１５１３は各ネットワークを相互に接続するＩＰネットワークである。
【００８０】
図１６は、本実施の形態に係る無線移動体通信システムおけるアドレスリストの作成手順を示すフロー図である。
各フォーリンエージェントが定期的にアドレス情報を報知する方法では、フォーリンエージェント１５０４は自身のアドレス情報をネットワークに定期的に送信している（ステップ１６０１）。フォーリンエージェント１５０４が自身のアドレス情報を定期的に報知する手段として、図１７に示すように、メッセージタイプが「９」、コードが「３」のＭｏｂｉｌｅ　ＩＰメッセージを拡張したメッセージを用いる。
【００８１】
移動端末１５０２は受信可能なフォーリンエージェントのアドレス情報、この例ではフォーリンエージェント１５０４のアドレス情報を取得し、取得したアドレス情報をホームエージェント１５０１に通知する（ステップ１６０２）。移動端末１５０２がアドレス情報をホームエージェント１５０１に通知する手段として、図１８に示すようにメッセージタイプが「９」、コードが「４」のＭｏｂｉｌｅ　ＩＰメッセージを拡張したメッセージを用いる。この通知を受けたホームエージェント１５０１はそのアドレスに基づきアドレスリストを作成する（ステップ１６０３）。
【００８２】
このように、本実施の形態に係る無線移動体通信システムによれば、各フォーリンエージェント１５０３〜１５０６は、自身のアドレス情報をネットワークに定期的に送出し、移動端末１５０２は、受信することができたフォーリンエージェントのアドレス情報と自身のアドレスをホームエージェント１５０１に通知するので、移動端末１５０２が次にハンドオーバするネットワークのフォーリンエージェントの候補を容易に特定することができる。
【００８３】
（実施の形態６）
図１９は、本発明の実施の形態６係る無線移動体通信システムにおけるフォーリンエージェントの物理的位置情報から移動端末のハンドオーバ先フォーリンエージェントを予測する手順を示す図である。本実施の形態に係る無線移動体通信システムは、ホームエージェントが全てのフォーリンエージェントの物理的位置情報と移動端末の移動履歴を保持する。
この図において、参照番号１９０１は移動端末、１９０２〜１９１１はそれぞれフォーリンエージェントである。
【００８４】
図２０は、本実施の形態に係る無線移動体通信システムおけるアドレスリストの作成手順を示すフロー図である。
ホームエージェントがすべてのフォーリンエージェントの物理的位置情報と移動端末の移動履歴を保持する方法では、ホームエージェントは全てのフォーリンエージェント１９０２〜１９１１の物理的位置情報と移動端末１９０１の移動履歴を保持している（ステップ２００１、２００２）。
【００８５】
図２１は物理的位置情報の一例を示す図である。この図において、参照番号２１０１は全てのフォーリンエージェント１９０２〜１９１１の物理的位置情報である。図２２は移動履歴の一例を示す図である。この図において、参照番号２１０２は移動端末１９０１の移動履歴である。物理的位置情報２１０１は、全てのフォーリンエージェント１９０２〜１９１１の物理的位置を２次元の座標として保持している。移動端末１９０１の移動履歴２１０２は、過去に訪問したネットワークを管理していたフォーリンエージェントのアドレスリストである。このアドレスリストには、過去に訪問していたネットワークのフォーリンエージェントのＩＰアドレスが新しい順に記載されている。
【００８６】
ホームエージェント（図示略）は、移動端末１９０１が直前に訪問していたネットワークを管理していたフォーリンエージェント１９０２と、現在の訪問先ネットワークを管理するフォーリンエージェント１９０３との位置関係から移動端末１９０１の移動履歴ベクトルを作成する（ステップ２００４）。図２３に移動履歴ベクトル２３０１を示す。
【００８７】
また、このとき図２４に示すように、訪問先ネットワークを管理するフォーリンエージェント１９０３と隣接するフォーリンエージェント１９０２、１９０４〜１９０７、１９１１との位置関係から物理的位置ベクトル２４０１〜２４０６を作成する（ステップ２００５）。そして、移動履歴ベクトル２３０１と物理的位置ベクトル２４０１〜２４０６との関係から移動端末１９０１が次にハンドオーバする可能性が高いフォーリンエージェント１９０４〜１９０６を求める（ステップ２００６）。
【００８８】
図２５は、移動端末１９０１の次ハンドオーバ先フォーリンエージェントの予測例である。この図に示すように、移動履歴ベクトル２３０１と物理的位置ベクトル２４０１〜２４０６の内積を求め、その値が正になる物理的位置ベクトル２４０１〜２４０６のフォーリンエージェント１９０４〜１９０６を次のハンドオーバ先と予測することが考えられる。その後、フォーリンエージェント１９０４〜１９０６のアドレスからアドレスリストを作成する（ステップ２００７）。
【００８９】
このように、本実施の形態に係る無線移動体通信システムによれば、ホームエージェントは、全てのフォーリンエージェント１９０２〜１９１１の物理的位置情報を保持し、移動端末１９０１の過去の移動履歴から移動履歴ベクトル２３０１を作成し、更に移動端末１９０１の訪問先ネットワークの近隣に存在するフォーリンエージェントの位置関係を表す物理的位置ベクトル２４０１〜２４０６を作成する。そして、作成した移動履歴ベクトル２３０１と物理的位置ベクトル２４０１〜２４０６の関係から移動端末１９０１が次にハンドオーバするネットワークのフォーリンエージェントの候補を特定するので、移動端末１９０１が次にハンドオーバするネットワークのフォーリンエージェントの候補を高精度で特定することができる。
【００９０】
【発明の効果】
以上説明したように、本発明によれば、移動端末が新たなハンドオーバ先のネットワークに移動してもホームエージェントまで登録要求を送信する必要が無くなり、認証に要する時間の短縮化が図れる。また、ハンドオーバ先のフォーリンエージェントが移動端末宛てのパケットの転送を直ちに開始できるため、パケット欠落や遅延を軽減することが可能となる。
【図面の簡単な説明】
【図１】本発明の実施の形態１に係る無線移動体通信システムの全体構成を示す図
【図２】本発明の実施の形態１に係る無線移動体通信システムにおけるＭｏｂｉｌｅ　ＩＰ拡張ハンドオーバ手順を示すフロー図
【図３】本発明の実施の形態１に係る無線移動体通信システムで使用されるメッセージフォーマットを示す図
【図４】本発明の実施の形態２に係る無線移動体通信システムの全体構成図
【図５】本発明の実施の形態２に係る無線移動体通信システムにおけるアドレスリストを作成する手順を示すフロー図
【図６】本発明の実施の形態２に係る無線移動体通信システムにおけるホームエージェントが保持するアドレスデータベースの一例を示す図
【図７】本発明の実施の形態３に係る無線移動体通信システムの全体構成図
【図８】本発明の実施の形態３に係る無線移動体通信システムにおけるアドレスリストを作成する手順を示すフロー図
【図９】本発明の実施の形態３に係る無線移動体通信システムで使用されるメッセージフォーマットを示す図
【図１０】本発明の実施の形態３に係る無線移動体通信システムで使用されるメッセージフォーマットを示す図
【図１１】本発明の実施の形態４に係る無線移動体通信システムの全体構成図
【図１２】本発明の実施の形態４に係る無線移動体通信システムにおけるアドレスリストを作成する手順を示すフロー図
【図１３】本発明の実施の形態４に係る無線移動体通信システムで使用されるメッセージフォーマットを示す図
【図１４】本発明の実施の形態４に係る無線移動体通信システムで使用されるメッセージフォーマットを示す図
【図１５】本発明の実施の形態５に係る無線移動体通信システムの全体構成図
【図１６】本発明の実施の形態５に係る無線移動体通信システムにおけるアドレスリストを作成する手順を示すフロー図
【図１７】本発明の実施の形態５に係る無線移動体通信システムで使用されるメッセージフォーマットを示す図
【図１８】本発明の実施の形態５に係る無線移動体通信システムで使用されるメッセージフォーマットを示す図
【図１９】本発明の実施の形態６係る無線移動体通信システムにおけるフォーリンエージェントの物理的位置情報から移動端末のハンドオーバ先フォーリンエージェントを予測する手順を示す図
【図２０】本発明の実施の形態６係る無線移動体通信システムにおけるアドレスリストの作成手順を示すフロー図
【図２１】本発明の実施の形態６係る無線移動体通信システムの動作を説明するための図であって、各フォーリンエージェントの物理的位置情報の一例を示す図
【図２２】本発明の実施の形態６係る無線移動体通信システムの動作を説明するための図であって、移動端末の移動履歴の一例を示す図
【図２３】本発明の実施の形態６係る無線移動体通信システムにおける移動履歴ベクトルの作成の一例を示す図
【図２４】本発明の実施の形態６係る無線移動体通信システムにおける物理的位置ベクトルの作成の一例を示す図
【図２５】本発明の実施の形態６係る無線移動体通信システムにおけるハンドオーバ先の予測の一例を示す図
【図２６】従来の無線移動体システムの全体構成図
【図２７】従来の無線移動体システムにおけるハンドオーバ手順を示す図
【符号の説明】
１０１、４０１、７０１、１１０１、１５０１　ホームエージェント
１０２、４０２、７０２、１１０２、１５０２、１９０１　移動端末
１０３〜１０６、４０３〜４０６、７０３〜７０６、１１０３〜１１０６、１５０３〜１５０６、１９０２〜１９１１　フォーリンエージェント
１０７、４０８、１１０８、１５０８　ホームネットワーク
１０８、４０９、７０９、１１０９、１５０９　訪問先ネットワーク
１０９　新訪問先ネットワーク
１１０、１１１、４１０、４１１、４１２、７１０、７１１、７１２、１１１０、１１１１、１１１２、１５１０、１５１１、１５１２　フォーリンネットワーク
１１２、４１３、７１３、１１１３、１５１３　ＩＰネットワーク
４０７、７０７　アドレスデータベース
１１０７、１５０７　無線基地局
２３０１　移動履歴ベクトル
２４０１〜２４０６　物理位置ベクトル
【図１】
2004135178.tif 000003
【図２】
2004135178.tif 000004
【図３】
2004135178.tif 000005
【図４】
2004135178.tif 000006
【図５】
2004135178.tif 000007
【図６】
2004135178.tif 000008
【図７】
2004135178.tif 000009
【図８】
2004135178.tif 000010
【図９】
2004135178.tif 000011
【図１０】
2004135178.tif 000012
【図１１】
2004135178.tif 000013
【図１２】
2004135178.tif 000014
【図１３】
2004135178.tif 000015
【図１４】
2004135178.tif 000016
【図１５】
2004135178.tif 000017
【図１６】
2004135178.tif 000018
【図１７】
2004135178.tif 000019
【図１８】
2004135178.tif 000020
【図１９】
2004135178.tif 000021
【図２０】
2004135178.tif 000022
【図２１】
2004135178.tif 000023
【図２２】
2004135178.tif 000024
【図２３】
2004135178.tif 000025
【図２４】
2004135178.tif 000026
【図２５】
2004135178.tif 000027
【図２６】
2004135178.tif 000028
【図２７】
2004135178.tif 000029